(57)【要約】作動油の温度によってマップ化データ（油圧制御特性）の低ライン圧領域を拡大することにより、車両の燃料経済性を向上させる。記憶部１０１には、エンジン負荷に基づいて、高圧／低圧領域のいずれかに設定されるライン圧のマップ化データが格納される。ＡＴＦ温度センサ１８により検出された作動油の温度に基づいて、判定部１０３は、低圧領域を拡大方向にマップ化データが遷移しているか否かを判定し、状態判断部１０４は、車両のスロットル開度ＴＨが全閉であるかまたはライン圧が現在低ライン圧であるかを判断する。低圧領域が拡大方向に遷移し、スロットル開度ＴＨが全閉または現在低ライン圧である場合には、領域変更部１０２は、記憶部１０１に格納されているマップ化データの低圧領域を拡大するように変更し、それ以外のときにはこのような変更を禁止する。
2010001665.tif 000002
【特許請求の範囲】
【請求項１】
複数の摩擦係合要素からいずれかを選択して係合することによって所定の変速段を設定する車両用の自動変速機において、油圧源からの油圧を調圧することにより、前記摩擦係合要素を作動制御させるための作動油の基圧となるライン圧を制御する自動変速機のライン制御装置であって、
エンジン負荷に基づいて、高圧領域および低圧領域のいずれかに設定される前記ライン圧の油圧制御特性を格納する記憶部と、
前記作動油の温度を検出する作動油温度センサと、
前記作動油温度センサにより検出された前記作動油の温度に基づいて、前記記憶部に格納されている前記ライン圧の油圧制御特性における前記低圧領域を拡大するように変更する領域変更部と
を備えることを特徴とする自動変速機のライン圧制御装置。
【請求項２】
前記領域変更部は、
前記低圧領域を拡大させる方向に前記油圧制御特性が遷移しているか否かを判定する判定部と、
前記車両のスロットル開度が全閉になっているか、あるいは前記ライン圧が現在低圧であるかをそれぞれ判断する状態判断部と
を備え、
前記低圧領域が拡大方向に遷移していると前記判定部が判定した場合であって、前記スロットル開度が全閉であるか、あるいは前記ライン圧が現在低圧であると前記状態判断部が判断したときには、前記領域変更部は、前記低圧領域の拡大方向への変更を許可し、それ以外のときには当該変更を禁止することを特徴とする請求項１に記載の自動変速機のライン圧制御装置。
【請求項３】
前記領域変更部は、前記低圧領域を縮小させる方向に遷移していると前記判定部が判定した場合には、前記状態判断部による判断を行うことなく、当該変更を許可することを特徴とする請求項２に記載の自動変速機のライン圧制御装置。
【請求項４】
複数の摩擦係合要素からいずれかを選択して係合することによって所定の変速段を設定する車両用の自動変速機において、油圧源からの油圧を調圧することにより、前記摩擦係合要素を作動制御させるための作動油の基圧となるライン圧を制御する自動変速機のライン制御装置であって、
エンジン負荷に基づいて、高圧領域および低圧領域のいずれかに設定される前記ライン圧の油圧制御特性を複数の温度領域に対応して複数格納する記憶部と、
前記作動油の温度を検出する作動油温度センサと、
前記作動油温度センサにより検出された前記作動油の温度に基づいて、前記記憶部に格納されている前記ライン圧の複数の油圧制御特性を切り替える切替部と
を備えることを特徴とする自動変速機のライン圧制御装置。
【請求項５】
前記切替部は、
前記作動油の温度が前記複数の温度領域の高温側から低温側に遷移しているか否かを判定する判定部と、
前記車両のスロットル開度が全閉になっているか、あるいは前記ライン圧が現在低圧であるかをそれぞれ判断する状態判断部と
を備え、
前記作動油の温度が前記温度領域の高温側から低温側に遷移していると前記判定部が判定した場合であって、前記スロットル開度が全閉であるか、あるいは前記ライン圧が現在低圧であると前記状態判断部が判断したときには、前記切替部は、前記油圧制御特性の切り替えを許可し、それ以外のときには当該切り替えを禁止することを特徴とする請求項４に記載の自動変速機のライン圧制御装置。
【発明の詳細な説明】
【技術分野】
【０００１】
本発明は、車両用の自動変速機のライン圧制御装置に関し、特に、作動油の温度に基づいてライン圧を２段階に切替可能な自動変速機のライン圧制御装置に関する。
【背景技術】
【０００２】
従来、自動変速機を備えた車両の燃料経済性（燃費）を高めるために、自動変速機用の油圧制御装置において確立されるライン圧を低ライン圧と高ライン圧の２段階に切り替えることができる自動変速機のライン圧制御装置が知られている（例えば、特公平６−１５９００号公報（以下、「特許文献１」という）および特開２００２−８９６８０号公報（以下、「特許文献２」という）参照）。【０００３】
特許文献１に開示される自動変速機のライン圧制御装置では、油温センサにより検出した自動変速機の作動油の温度に応じて、変速段の変速中におけるライン圧を制御している。具体的には、まず、変速時要求ライン圧が低温領域、高温領域、および低温領域と高温領域との間の遷移領域のいずれにあるかを判別する。そして、変速時要求ライン圧が特に遷移領域にある場合に、制御されるライン圧を低温用ライン圧値と高温用ライン圧値の間で徐々に（リニアに）変化させるように処理している。このライン圧制御装置は、このように構成することにより、ライン圧を徐々に変化させることとなる。これにより、ライン圧の急変を生ずることがなく、ライン圧制御による変速ショックを軽減することができるという効果を奏するものである。【０００４】
また、特許文献２に開示される自動変速機のライン圧制御装置では、スロットル開度がステップ状に低下するときライン圧を高圧から低圧に切り替えるように判定がなされ、その判定がなされてから所定時間だけこの切り替えの開始を遅延させるようにライン圧を制御している。このライン圧制御装置は、このように構成することにより、エンジントルクの減少時におけるトルクの過渡的な変化状態に起因する摩擦係合要素のすべりを防止することができる。そのため、変速ショックを回避するとともに、摩擦係合要素の摩擦材の寿命が低下してしまうのを防止することができるという効果を奏するものである。【０００５】
さらに、ライン圧の制御においては、例えば、図４に示すように、車両のスロットル開度（縦軸、スロットルの有効開度を８分割したときの割合）および車速（横軸）によりマップ化したデータを用いて低ライン圧領域と高ライン圧領域とを区分けすることも知られている。このようなマップ化データを用いる場合、低ライン圧領域は、クラッチ（摩擦係合要素）のトルク容量が任意のスロットル開度および車速においてエンジントルクを下回らないように設定される。
【発明の概要】
【発明が解決しようとする課題】
【０００６】
上記特許文献１および特許文献２の自動変速機のライン圧制御装置では、変速ショックを軽減または回避することができるものの、さらに車両の燃費（燃料経済性）を向上させたいというニーズには応えることができないという問題がある。【０００７】
また、上記のマップ化データを用いる場合には、変速ショック等の要因を考慮して、クラッチのトルク容量に問題がない狭い領域でしか低ライン圧に設定することができず、スロットル開度と車速とに基づいてライン圧を設定するだけではやはり車両の燃費（燃料経済性）を向上させたいというニーズには応えることができないという問題もある。【０００８】
本発明は上述の点に鑑みてなされたものであり、その目的は、作動油の温度によってマップ化データ（油圧制御特性）の低ライン圧領域を拡大し、あるいは複数のマップ化データを切り替えることにより、車両の燃料経済性を向上させることができる車両用の自動変速機のライン圧制御装置を提供することにある。また、本発明のさらなる目的は、低ライン圧領域の拡大方向に低ライン圧領域を変更したり、マップ化データを低ライン圧領域の拡大方向に切り替えたりすることにより、その遷移または切り替えのタイミングにクラッチおよびエンジンのトルク容量の差によりクラッチがすべることを効果的に防止することができる車両用の自動変速機のライン圧制御装置を提供することにある。
【課題を解決するための手段】
【０００９】
上記の課題を解決するために、本発明の一実施形態における自動変速機のライン圧制御装置（１０）は、複数の摩擦係合要素（クラッチ）からいずれかを選択して係合することによって所定の変速段を設定する車両用の自動変速機（３、６）において、油圧源（６１）からの油圧を調圧することにより、摩擦係合要素を作動制御させるための作動油の基圧となるライン圧（Ｐ）を制御する自動変速機のライン制御装置（１０）であって、エンジン（１）の負荷に基づいて、高圧領域および低圧領域のいずれかに設定されるライン圧（Ｐ）の油圧制御特性（マップ化データ）を格納する記憶部（１０１）と、作動油の温度（ＴＡＴＦ）を検出する作動油温度センサ（１８）と、作動油温度センサ（１８）により検出された作動油の温度（ＴＡＴＦ）に基づいて、記憶部（１０１）に格納されているライン圧（Ｐ）の油圧制御特性における低圧領域を拡大するように変更する領域変更部（１０２）とを備えることを特徴とする。【００１０】
本発明の一実施形態における自動変速機のライン圧制御装置によれば、例えば、作動油の温度ＴＡＴＦが低温のときには作動油の摩擦係数が増加するため、このような場合に油圧制御特性のライン圧の低圧領域を拡大させることにより、拡大された領域における車両の走行状態においては自動変速機全体のフリクショントルクを低減させることができる。これにより、車両の燃料経済性（燃費）を向上させることができる。【００１１】
また、本発明の一実施形態における自動変速機のライン圧制御装置では、領域変更部（１０２）は、低圧領域を拡大させる方向に油圧制御特性（マップ化データ）が遷移しているか否かを判定する判定部（１０３）と、車両のスロットル開度（ＴＨ）が全閉になっているか、あるいはライン圧（Ｐ）が現在低圧であるかをそれぞれ判断する状態判断部（１０４）とを備え、低圧領域が拡大方向に遷移していると判定部（１０３）が判定した場合であって、スロットル開度（ＴＨ）が全閉であるか、あるいはライン圧（Ｐ）が現在低圧であると状態判断部（１０４）が判断したときには、領域変更部は、低圧領域の拡大方向への変更を許可し、それ以外のときには当該変更を禁止するように構成してもよい。これにより、車両の燃料経済性（燃費）を向上させつつ、ライン圧を高圧から低圧へ切り替えるときにエンジンのトルク容量とクラッチ（摩擦係合要素）のトルク容量との差に起因して発生し得るクラッチのすべりを効果的に防止することができる。なお、本発明では、スロットル開度（ＴＨ）の代わりに車両のアクセルペダルにおける開度（アクセルペダル開度ＡＰＡＴ）を用いてもよい。【００１２】
さらに、上記構成において、領域変更部（１０２）は、低圧領域を縮小させる方向に遷移していると判定部（１０３）が判定した場合には、状態判断部（１０４）による判断を行うことなく、当該変更を許可するように構成してもよい。これにより、クラッチ（摩擦係合要素）のすべりの心配がないときには、ライン圧制御装置（例えば、電子制御ユニット１０）全体の処理負荷を軽減しつつ油圧制御特性におけるライン圧の低圧領域を拡大するように変更することができる。【００１３】
また、上記の課題を解決するために、本発明の別の実施形態における自動変速機のライン圧制御装置（１０）は、複数の摩擦係合要素（クラッチ）からいずれかを選択して係合することによって所定の変速段を設定する車両用の自動変速機（３、６）において、油圧源（６１）からの油圧を調圧することにより、摩擦係合要素を作動制御させるための作動油の基圧となるライン（Ｐ）圧を制御する自動変速機のライン制御装置（１０）であって、エンジン（１）の負荷に基づいて、高圧領域および低圧領域のいずれかに設定されるライン圧（Ｐ）の油圧制御特性（マップ化データ）を複数の温度領域（例えば、５０℃、８０℃および１００℃により境界を分けられた複数の温度領域）に対応して複数格納する記憶部（１０１）と、作動油の温度（ＴＡＴＦ）を検出する作動油温度センサ（１８）と、作動油温度センサ（１８）により検出された作動油の温度（ＴＡＴＦ）に基づいて、記憶部（１０１）に格納されているライン圧（Ｐ）の複数の油圧制御特性を切り替える切替部（１０２）とを備えることを特徴とする。【００１４】
本発明の別の実施形態における自動変速機のライン圧制御装置によれば、作動油の温度ＴＡＴＦが低温のときにライン圧の低圧領域を拡大させたマップ化データに切り替えることにより、自動変速機全体のフリクショントルクを低減させることができるので、車両の燃料経済性（燃費）を向上させることができる。【００１５】
また、本発明の別の実施形態における自動変速機のライン圧制御装置では、切替部（１０２）は、作動油の温度（ＴＡＴＦ）が複数の温度領域の高温側から低温側に遷移しているか否かを判定する判定部（１０３）と、車両のスロットル開度（ＴＨ）が全閉になっているか、あるいはライン圧（Ｐ）が現在低圧であるかをそれぞれ判断する状態判断部（１０４）とを備え、作動油の温度が温度領域の高温側から低温側に遷移していると判定部（１０３）が判定した場合であって、スロットル開度（ＴＨ）が全閉であるか、あるいはライン圧（Ｐ）が現在低圧であると状態判断部（１０４）が判断したときには、切替部は、油圧制御特性の切り替えを許可し、それ以外のときには当該切り替えを禁止するように構成してもよい。これにより、車両の燃料経済性（燃費）を向上させつつ、油圧制御特性の切替時にライン圧が高圧から低圧に切り替わってしまうことによるエンジンのトルク容量とクラッチのトルク容量の差に起因して発生し得るクラッチ（摩擦係合要素）のすべりを効果的に防止することができる。【００１６】
なお、上記で括弧内に記した図面参照符号は、後述する実施形態における対応する構成要素を参考のために例示するものである。また、上記で括弧内に記した作動油の温度等も後述する実施形態に対応して例示したものである。
【発明の効果】
【００１７】
本発明によれば、作動油の温度が所定温度よりも低いときには、スロットル開度と車速とのマップ化データにおいて低ライン圧領域を拡大させることにより、その拡大された領域での自動変速機のフリクショントルクを高ライン圧時よりも低減することができ、それにより車両の燃料経済性を向上させることができる。
【図面の簡単な説明】
【００１８】
【図１】本発明の第１実施形態における自動変速機のライン圧制御装置を備えた車両の動力伝達系統および制御系統を概略的に示すブロック図である。
【図２】本発明の第１実施形態における自動変速機のライン圧制御装置において実行される低ライン圧領域検索・変更処理の制御系統を示すブロック図である。
【図３】本発明の第１実施形態における自動変速機のライン圧制御装置に適用される油圧回路の一部である。
【図４】記憶部に格納されているスロットル開度ＴＨ−車速Ｎｖに対するライン圧のマップ化データ（１００℃）を示すグラフである。
【図５】５０℃および８０℃におけるスロットル開度ＴＨ−車速Ｎｖに対するライン圧のマップ化データを示すグラフである。
【図６】作動油の温度に対する摩擦係数の関係およびライン圧とフリクショントルクとの関係をそれぞれ示すグラフである。
【図７】低ライン圧領域を変更するか否かに対する車両の燃費向上率を示すグラフである。
【図８】本発明の第１実施形態に係る自動変速機のライン圧制御装置を備える車両のＡＴ制御処理を示すフローチャートである。
【図９】本発明の第１実施形態における低ライン圧領域検索・変更処理を示すフローチャートである。
【図１０】本発明の第２実施形態における低ライン圧領域検索・変更処理を示すフローチャートである。
【発明を実施するための形態】
【００１９】
以下、添付図面を参照して本発明の自動変速機のライン圧制御装置の好適な実施形態を詳細に説明する。
【００２０】
（第１実施形態）
図１は、本発明の第１実施形態における自動変速機のライン圧制御装置を備えた車両の動力伝達系統および制御系統を概略的に示すブロック図である。車両の動力伝達系統は、動力源であるエンジン１と、エンジン１の回転出力を変速ギア機構３に伝達するための流体継手であるトルクコンバータ２と、トルクコンバータ２の回転出力を入力して設定された速度比で変速して出力する変速ギア機構３と、変速ギア機構３の回転出力を左右の車輪（例えば後輪）５に分配するディファレンシャルギア機構４とを含む。トルクコンバータ２および変速ギア機構３に付属して油圧制御装置６が設けられている。この油圧制御装置６は、トルクコンバータ２および変速ギア機構３内に設けられている油圧制御型の複数の摩擦係合要素（クラッチなど）を所定の組み合わせで締結または解放させるものである。これにより、油圧制御装置６は、トルクコンバータ２のロックアップや、変速ギア機構３における入出力速度比を所要の変速段に設定することを行う。車両の自動変速機は、これらのトルクコンバータ２、変速ギア機構３、油圧制御装置６などによって構成される。また、本実施形態のライン圧制御装置は、油圧制御装置６と後述する電子制御ユニット１０とによって構成される。
【００２１】
車両の動力伝達系統を制御するための制御系統は、車両の各部に設けられたセンサと、該各センサの出力が入力される電子制御ユニット（ＥＣＵ）１０と、該電子制御ユニット１０によって制御される油圧制御装置６などで構成される。回転センサ１１はトルクコンバータ２の入力軸の回転数（エンジン回転数）Ｎｅを検出する。回転センサ１２は変速ギア機構３の入力軸（すなわち、トルクコンバータ２の出力軸）の回転数Ｎｉを検出する。回転センサ１３は変速ギア機構３の出力軸の回転数Ｎｏを検出する。車速センサ１４は車両の走行速度（車速）Ｎｖを検出する。なお、車速Ｎｖを専用に検出する車速センサ１４を設けることなく、入力軸回転数Ｎｉまたは出力軸回転数Ｎｏから車速Ｎｖを算出するようにしてもよい。例えば、「Ｎｖ＝Ｎｉ×変速レシオ×タイヤ周長」あるいは「Ｎｖ＝Ｎｏ×タイヤ周長」のような関係式に基づいて車速Ｎｖを検出（算出）することができる。シフトレバーポジションセンサ１５は、運転者によって操作されるシフトレバーのポジションを検出する。シフトレバーのポジションには、公知のように、例えば、Ｐ（パーキング）、Ｒ（後進走行）、Ｎ（ニュートラル）、Ｄ（自動変速モードでの前進走行）などがある。さらに、３速、２速、１速等の特定の変速段を手動で指定するためのポジションが設けられてもよい。
【００２２】
ブレーキセンサ１６は、運転者によりブレーキペダルが所定量以上踏み込まれるとブレーキがかけられたことを検出する。スロットルセンサ１７は、アクセルペダルの踏み込みに応じて開度が設定されるエンジン１のスロットルの開度ＴＨを検出する。アクセルペダルセンサ２１は、アクセルペダルの踏み込みに応じたアクセルペダル開度ＡＰＡＴを検出する。ＡＴＦ温度センサ１８は、油圧制御装置６における作動油の温度（ＡＴＦ油温）ＴＡＴＦを検出する。油圧センサ２０は、油圧制御装置６において図示しないリニアソレノイドバルブにより調圧されたライン圧Ｐを検出する。冷却水温センサ１９は、エンジン冷却液の温度（冷却水温）を検出する。
【００２３】
本実施形態における自動変速機のライン圧制御装置は、油圧源（後述するオイルポンプ６１）からの油圧を後述するレギュレータバルブ６２にて調圧することにより、摩擦係合要素（クラッチなど）を作動制御させるための作動油の基圧となるライン圧Ｐを制御するものである。また、ライン圧制御装置は、作動油の温度ＴＡＴＦに基づいて後述するライン圧Ｐの油圧制御特性（マップ化データ）の低圧領域を変更するものである。
【００２４】
図１に示した車両の動力伝達系統および制御系統の具体的構成は、公知の構成を適宜採用すればよい。本発明に係る自動変速機のライン圧制御装置は、電子制御ユニット１０を含むものであり、該電子制御ユニット１０が実現可能な種々の制御機能のうちの一つとして実施される。以下述べる実施形態においては、本発明に係る自動変速機のライン圧制御装置は、電子制御ユニット１０が具備するコンピュータプログラムによって実行されるものとする。しかしながら、本発明に係る自動変速機のライン圧制御装置は、このようなコンピュータプログラムに限らず、専用の電子回路ハードウェアで構成することができるのは勿論である。
【００２５】
図２は、本発明の自動変速機のライン圧制御装置において実行される低ライン圧領域検索・変更処理の制御系統を示すブロック図である。図２に示すように、電子制御ユニット１０は、記憶部１０１と、領域変更部１０２とを含む。記憶部１０１には、エンジン１の負荷に基づいて、スロットル開度ＴＨ−車速Ｎｖのグラフ（ライン圧制御特性図）において高圧領域および低圧領域のいずれかに設定されるライン圧Ｐの油圧制御特性（詳細は後述する）がマップ化データとして格納される。領域変更部１０２は、ＡＴＦ温度センサ１８により検出された作動油の温度（ＡＴＦ油温）ＴＡＴＦに基づいて、記憶部１０１に格納されているライン圧Ｐのマップ化データにおける低ライン圧領域を拡大するように変更するものである。領域変更部１０２は、判定部１０３と、状態判断部１０４とを含む。判定部１０３は、低ライン圧領域を拡大させる方向に油圧制御特性が遷移しているか否か、すなわち作動油の温度ＴＡＴＦが低温側に遷移しているか否かを判定するものである。状態判断部１０４は、車両のスロットル開度ＴＨが全閉になっているか、あるいはライン圧Ｐが現在低ライン圧であるかをそれぞれ判断するものである。
【００２６】
本発明の自動変速機のライン圧制御装置では、図３において後述するように、ライン圧Ｐを高ライン圧と低ライン圧との２段階で切替可能である。判定部１０３により低ライン圧領域が拡大方向に遷移していると判定された場合であって、スロットル開度ＴＨが全閉であるか、あるいはライン圧Ｐが現在低ライン圧であると状態判断部１０４により判断されたときには、領域変更部１０２は、このような低ライン圧領域の拡大方向への変更を許可する。領域変更部１０２は、それ以外のときには当該変更を禁止する。そして、電子制御ユニット１０は、領域変更部１０２により低ライン圧領域が拡大変更されたマップ化データあるいは現在利用しているマップ化データと、現在の車両の走行状態とに基づいて、必要なライン圧Ｐを確立するように油圧制御装置６に指令を出力している。なお、本発明の特徴的な制御についてはフローチャートを用いて後述する。
【００２７】
次に、本実施形態における自動変速機のライン圧制御装置におけるライン圧Ｐを２段階に変更可能な油圧回路の構成を説明する。図３は、本発明の自動変速機のライン圧制御装置に適用される油圧回路の一部である。図３に示すように、この油圧回路は、油圧源となるオイルポンプ６１と、レギュレータバルブ６２と、ソレノイドバルブ６３とを備えている。レギュレータバルブ６２は、このオイルポンプ６１から供給される基礎油圧を調圧して、クラッチなどの摩擦係合要素の係合作動油の基圧となるライン圧Ｐを生成する。ソレノイドバルブ６３は、ライン圧Ｐを２段階に切り替えるためにレギュレータバルブ６２に補助圧を供給するものである。このようにソレノイドバルブ６３を設けたことにより、レギュレータバルブ６２に段差を追加して、レギュレータバルブ６２の受圧面積を切り替えて、高ライン圧と低ライン圧の２段階にライン圧Ｐを切り替えることができる。
【００２８】
オイルポンプ６１は、図示しないオイルタンクから作動油を吸い上げて油路７０に圧送する。この作動油は、レギュレータバルブ６２により所定圧力に調圧された後、油路７１および図示しないバルブを経てリニアソレノイドバルブを介して各クラッチに送られる。ここで、高い係合作動油圧が必要でない領域、すなわち図４のクラッチ容量ＯＫ領域になると、油圧制御装置６では、オイルポンプ６１から供給される作動油圧を油路７２から受けているソレノイドバルブ６３が、電子制御ユニット１０の制御により開放（ＯＮ）する。このソレノイドバルブ６３の開放により油路７５を経た作動油（低ライン圧の信号圧）と油路７３を経た作動油によりレギュレータバルブ６２が制御される。このようにレギュレータバルブ６２の受圧面積を大きくすることにより、レギュレータバルブ６２にて調圧されるライン圧Ｐを高圧から低圧に切り替える。
【００２９】
また、高い係合作動油圧が必要な領域、すなわち図４のクラッチ容量ＯＫ領域以外の領域（ＬＣ容量ＯＫ領域等）になると、油圧制御装置６は、ライン圧Ｐを低圧から高圧に切り替える動作を行う。この場合、電子制御ユニット１０の制御によりソレノイドバルブ６３を閉止（ＯＦＦ）することにより、油路７５には作動油（低ライン圧の信号圧）が供給されない。これにより、レギュレータバルブ６２は油路７３を経た作動油のみで制御される。このようにレギュレータバルブ６２の受圧面積を小さくすることにより、ライン圧Ｐを低圧から高圧に切り替える。なお、本実施形態では、例えば、高ライン圧は９．５±０．２５ｋｇ／ｃｍ２に設定され、低ライン圧は６．０±０．２５ｋｇ／ｃｍ２に設定される。
【００３０】
図４は、記憶部１０１に格納されているスロットル開度ＴＨ−車速Ｎｖに対するライン圧Ｐのマップ化データ（作動油の温度：１００℃）を示すグラフである。なお、スロットル開度ＴＨは、全開時を８、全閉時を０として全領域を８分割したときの割合で示す。また、実線（太線）は、シフトアップ時のシフト間の境界線を示し、左側から１速（Ｌｏｗ）→２速、２速→３速、３速→４速および４速→５速（Ｔｏｐ）のシフトアップの境界線である。通常シフトダウン時のシフト間の境界線はシフトアップ時のシフト間の境界線とは異なる。しかしながら、本実施形態では、ライン圧Ｐの高圧・低圧の境界線と無関係であるので、シフトダウン時のシフト間の境界線は図示を省略する。なお、本実施形態では、エンジン１への負荷として、縦軸にスロットル開度ＴＨを用いているが、実質的に比例関係があると考えられるため、スロットル開度ＴＨに代えてアクセルペダル開度ＡＰＡＴを用いてもよい。
【００３１】
本実施形態では、マップ化データは、ライン圧６ｋｇｆ／ｃｍ２、作動油の温度１００℃におけるクラッチのトルク容量から低ライン圧領域を算出したものである。図４のグラフにおいて、斜線部分は、クラッチのトルク容量がエンジン１のトルク容量を下回らない領域（図では、クラッチ容量ＯＫ領域）を示す。また、スロットル開度ＴＨが４以下の領域でクラッチ容量ＯＫ領域以外の領域は、ＬＣ（ロックアップ）クラッチのトルク容量がエンジン１のトルク容量を下回らない領域（図では、ＬＣ容量ＯＫ領域）を示す。
【００３２】
従来のライン圧制御では、例えば、図４のマップ化データのみを用いて車両走行時のライン圧を設定していた。市場走行状態を想定したテストモード（５回平均値）では、このマップ化データを用いるとテスト走行中に低ライン圧での走行が８５％程度をカバーする。これにより、図７に示すようにライン圧Ｐを高ライン圧と低ライン圧とでの切り替えを行わないものに比べ、０．２６％燃費（燃料経済性）が向上している。
【００３３】
図５は、５０℃および８０℃におけるスロットル開度ＴＨ−車速Ｎｖに対するライン圧Ｐのマップ化データを示すグラフである。図５（ａ）では、図４に示す油温１００℃におけるマップ化データのクラッチ容量ＯＫ領域に対して拡大された低ライン圧領域が塗りつぶし領域で示される。このマップ化データは、例えば作動油の温度が８０℃のときに用いられる。また、図５（ｂ）では、図５に示す油温８０℃におけるマップ化データのクラッチ容量ＯＫ領域に対して拡大された低ライン圧領域が塗りつぶし領域で示される。このマップ化データは、例えば作動油の温度が５０℃のときに用いられる。本発明では、図４および図５のグラフに示すように、領域変更部１０２は、ＡＴＦ温度センサ１８により検出された作動油の油温ＴＡＴＦが高温から低温に変化するにつれて低ライン圧領域を段階的に拡大するように変更するものである。
【００３４】
このように作動油の温度（油温）５０℃、８０℃において低ライン圧領域を段階的に拡大することにより、上記と同様のテスト走行中に低ライン圧での走行が９７％程度まで向上する。これにより、図７に示すようにライン圧の切り替えを行わないものに比べて０．３０％燃費（燃料経済性）を向上させることができ、作動油の温度ＴＡＴＦに応じて低ライン圧領域を変更しないものに比べても０．０４％燃費（燃料経済性）を向上させることができる。これは、図６（ａ）に示すように、作動油の温度ＴＡＴＦが下がるにつれて作動油の摩擦係数μが増加するとともに、図６（ｂ）に示すように、設定されるライン圧Ｐが低いほどエンジン１の回転数Ｎｅ（ｒｐｍ）に対する変速ギア機構３全体のフリクショントルクが低くなるからである。したがって、本発明の自動変速機のライン圧制御装置によれば、作動油の温度ＴＡＴＦが低温のときに図５に示すように低ライン圧領域を拡大させることにより、拡大された領域における車両の走行状態においては変速ギア機構３全体のフリクショントルクを低減させることができる。そのため、車両の燃料経済性を向上させることができる。
【００３５】
次に、本発明の第１実施形態における自動変速機のライン圧制御装置の動作を説明する。図８は、本発明に係る自動変速機のライン圧制御装置を備える車両のＡＴ制御処理を示すフローチャートである。なお、ＡＴ制御処理では、ステップＳ８の低ライン圧領域検索・変更処理が本発明の特徴部分であるため、その他の処理についてはサブルーチンのフローチャートを省略し、図１を用いて処理の概要を簡単に説明するものとする。また、図８のフローチャートは、例えば１０ｍｓｅｃ毎に繰り返し実行されるものとする。
【００３６】
ＡＴ制御処理において、電子制御ユニット１０は、まず、自動変速機を全体として制御するための各種パラメータ算出処理を実行する（ステップＳ１）。ここでは、電子制御ユニット１０は、例えば、各種回転センサ１１〜１３、車速センサ１４、シフトレバーポジションセンサ１５、スロットルセンサ１７、アクセルペダルセンサ２１、ＡＴＦ温度センサ１８、冷却水温センサ１９、油圧センサ２０等により検出された検出信号を取得し、それらの検出信号を用いて必要な各種パラメータを算出する。
【００３７】
次いで、電子制御ユニット１０は、算出されたパラメータに基づいてシフト制御処理を実行する（ステップＳ２）。ここでは、電子制御ユニット１０は、例えば、シフトレバーポジションセンサ１５により検出されたシフトレバーのポジションに基づいてシフトモードを設定する。
【００３８】
次いで、電子制御ユニット１０は、トルクコンバータ２のロックアップクラッチの係合制御を実行する（ステップＳ３）。ここでは、電子制御ユニット１０は、車両の走行状態に応じてトルクコンバータ２内のロックアップクラッチ（図示せず）の締結制御やすべり制御を行う。
【００３９】
次いで、電子制御ユニット１０は、油圧制御装置６内の図示しないリニアソレノイドバルブ群に対してリニソレ制御処理を実行するとともに（ステップＳ４）、シフトソレノイドバルブ群（図示せず）に対して出力指令を出すソレノイド出力指令処理を実行する（ステップＳ５）。ここでは、電子制御ユニット１０は、シフトソレノイド群およびリニアソレノイド群を制御することにより油圧制御装置６内の油路を切り替え、シフトアップまたはシフトダウン指令に応じて変速クラッチの係合を制御する。
【００４０】
次いで、電子制御ユニット１０は、ライン圧、潤滑制御処理を実行する（ステップＳ７）。ここでは、油圧制御装置６は、電子制御ユニット１０の指令に基づいて、オイルポンプ６１から供給される基礎油圧をレギュレータバルブ６２により調圧してライン圧Ｐを生成し、車両の走行状態に応じて電子制御ユニット１０から出力される指令に基づいて、ソレノイドバルブ６３をＯＮ／ＯＦＦ制御することによりライン圧Ｐを高ライン圧と低ライン圧とで切り替える。また、油圧制御装置６は、必要に応じて潤滑油路側に設けられた制御弁（リリーフ弁や切替弁）を開閉制御することにより、各種軸受やクラッチなどへの潤滑油の供給量を調整する。
【００４１】
次いで、電子制御ユニット１０は、後述する低ライン圧領域検索・変更処理（第２実施形態では、マップ切替処理）を実行する（ステップＳ８）。そして、電子制御ユニット１０は、これら一連の油圧制御処理に並行して、各種制御に関係するセンサやバルブ等の故障の有無を検知する故障検知処理を実行し（ステップＳ６）、このＡＴ制御処理を終了する。
【００４２】
図９は、図８のフローチャートのステップＳ８において実行される低ライン圧領域検索・変更処理を示すフローチャートである。ＡＴ制御処理においてステップＳ８に移行すると、電子制御ユニット１０は、この低ライン圧領域検索・変更処理のサブルーチンを実行する。
【００４３】
まず、領域変更部１０２は、ＡＴＦ温度センサ１８により検出された作動油の温度（油温）ＴＡＴＦを取得する（ステップＳ１０１）。そして、領域変更部１０２の判定部１０３は、この油温ＴＡＴＦが５０℃以下であるか否か（ステップＳ１０２）、５０℃より大きく８０℃以下であるか否か（ステップＳ１０３）、８０℃より大きく１００℃以下であるか否か（ステップＳ１０４）を順次判定する。領域変更手段１０２は、その判定結果に基づいて、それぞれ領域１〜４を特定する（ステップＳ１０５〜Ｓ１０８）。なお、本実施形態では、例えば、領域１が上述の５０℃におけるマップ化データのクラッチ容量ＯＫ領域全体（図５（ａ）参照）に対応し、領域２が上述の８０℃におけるマップ化データのクラッチ容量ＯＫ領域全体（図５（ｂ）参照）に対応し、領域３が上述の１００℃におけるマップ化データのクラッチ容量ＯＫ領域全体（図４参照）に対応する。領域４は、図示を省略しているが、１００℃におけるマップ化データのクラッチ容量ＯＫ領域（図４参照）よりもさらに縮小されたクラッチ容量ＯＫ領域を有するものであればよい。
【００４４】
次いで、領域変更部１０２は、電子制御ユニット１０で現在指定されており、記憶部１０１に格納されているマップ化データの領域を読み出す（ステップＳ１０９）。そして、判定部１０３は、ステップＳ１０５〜Ｓ１０８において新たに特定された領域と現在指定されている領域とを比較し、新たに特定された領域が現在指定されている領域よりも大きいか否かを判定する（ステップＳ１１０）。
【００４５】
新たに特定された領域が現在指定されている領域よりも大きいと判定された場合には（ステップＳ１１０において「Ｙｅｓ」）、作動油の温度ＴＡＴＦが低温側に遷移したことを意味し、状態判断部１０４は、スロットル開度ＴＨが全閉になっているか、あるいはライン圧Ｐが現在低ライン圧であるかをそれぞれ判断する（ステップＳ１１２）。
【００４６】
そして、スロットル開度ＴＨが全閉になっているか、あるいは現在低ライン圧であると状態判断部１０４が判断した場合には、エンジン１のトルク容量とクラッチのトルク容量の差に起因するクラッチ（摩擦係合要素）のすべりの問題がない。そのため、領域変更部１０２は、新たに特定された低ライン圧領域の拡大方向への変更を許可し、低ライン圧領域をその特定領域に変更する（ステップＳ１１１）。すなわち、電子制御ユニット１０は、新たに特定された領域を記憶部１０１に格納（保存）して、この低ライン圧領域検索・変更処理を終了する。また、ステップＳ１１２において、スロットル開度ＴＨが全閉になっていないとともに、現在高ライン圧であると状態判断部１０４が判断した場合には、領域変更部１０２は、当該変更を禁止し、現在指定されている領域を維持して（ステップＳ１１３）、電子制御ユニット１０はこの低ライン圧領域検索・変更処理を終了する。
【００４７】
一方、新たに特定された領域が現在指定されている領域よりも小さいと判定された場合には（ステップＳ１１０において「Ｎｏ」）、作動油の温度ＴＡＴＦが高温側に遷移したことを意味する。このとき、低ライン圧領域が縮小する方向の変更であり、ライン圧Ｐが低ライン圧から高ライン圧に変更される領域があるものの、クラッチおよびエンジン１のトルク容量の差からクラッチがすべるという問題は生じない。そのため、状態判断部１０４によるステップＳ１１２の判断をすることなく、領域変更部１０２は、新たに特定された低ライン圧領域の拡大方向への変更を許可し、低ライン圧領域をその特定領域に変更する（ステップＳ１１１）。すなわち、電子制御ユニット１０は、新たに特定された領域を記憶部１０１に格納（保存）して、この低ライン圧領域検索・変更処理を終了する。
【００４８】
（第２実施形態）
本発明の第２の実施形態における自動変速機のライン圧制御装置について説明する。ここでは、第１実施形態および第２実施形態に係る自動変速機のライン圧制御装置で異なる部分を詳細に説明し、同様の部分についてはその説明を省略する。本実施形態では、電子制御ユニット１０は、第１実施形態における図２に示す領域変更部１０２の代わりに、切替部１０２を備えている。この切替部１０２は、温度領域の高温側から低温側に遷移していると判定部１０３が判定した場合であって、スロットル開度が全閉であるか、あるいはライン圧Ｐが現在低ライン圧であると状態判断部１０４が判断したときには、現在指定されているマップ化データ（記憶部１０１に格納されたもの）からＡＴＦ温度センサ１８により検出された作動油の油温ＴＡＴＦに基づいて特定されたマップ化データへの切り替えを許可する。一方、それ以外のときには、切替部１０２は当該切り替えを禁止する。また、記憶部１０１には、図４および図５に示すような作動油の温度ＴＡＴＦに対応して複数のマップ化データが格納されている。
【００４９】
次に、本発明の第２実施形態における自動変速機のライン圧制御装置の動作を説明する。なお、図８のフローチャートに示す全体的な動作（ＡＴ制御処理）は概ね同様であるため、その説明を省略する。図１０は、本発明の第２実施形態におけるマップ切替処理を示すフローチャートである。第１実施形態の場合と同様に、ＡＴ制御処理においてステップＳ８に移行すると、電子制御ユニット１０は、第１実施形態の低ライン圧領域検索・変更処理に代えて、このマップ切替処理のサブルーチンを実行する。
【００５０】
まず、切替部１０２は、ＡＴＦ温度センサ１８により検出された作動油の温度（油温）ＴＡＴＦＮを取得する（ステップＳ２０１）。そして、切替部１０２の判定部１０３は、この油温ＴＡＴＦＮが５０℃以下であるか否か（ステップＳ２０２）、５０℃より高く８０℃以下であるか否か（ステップＳ２０３）、８０℃より高く１００℃以下であるか否か（ステップＳ２０４）を順次判定する。切替部１０２は、その判定結果に基づいて、それぞれマップ１〜４を特定する（ステップＳ２０５〜Ｓ２０８）。なお、本実施形態では、例えば、マップ１が上述の５０℃におけるマップ化データに対応し、マップ２が上述の８０℃におけるマップ化データに対応し、マップ３が上述の１００℃におけるマップ化データに対応する。マップ４は、第１実施形態と同様に図示を省略しているが、１００℃におけるマップ化データのクラッチ容量ＯＫ領域よりも縮小されたクラッチ容量ＯＫ領域を有するマップであればよい。
【００５１】
次いで、切替部１０２は、電子制御ユニット１０で現在指定されており、記憶部１０１に格納されているマップ化データに対応する油温ＴＡＴＦＯを読み出す（ステップＳ２０９）。そして、判定部１０３は、ステップＳ２０５〜Ｓ２０８において新たに特定されたマップ化データに対応する油温ＴＡＴＦＮが現在指定されているマップ化データに対応すると油温ＴＡＴＦＯ以上であるか否かを判定する（ステップＳ２１０）。
【００５２】
油温ＴＡＴＦＮが油温ＴＡＴＦＯ以上であると判定された場合には（ステップＳ２１０において「Ｙｅｓ」）、作動油の温度ＴＡＴＦが高温側に遷移したことを意味し、切替部１０２は、現在指定されているマップ化データからステップＳ２０５〜Ｓ２０８において特定されたマップ化データに切り替えて（ステップＳ２１１）、電子制御ユニット１０はこのマップ切替処理を終了する。
【００５３】
一方、油温ＴＡＴＦＮが油温ＴＡＴＦＯよりも低いと判定された場合には（ステップＳ２１０において「Ｎｏ」）、作動油の温度ＴＡＴＦが低温側に遷移したことを意味し、状態判断部１０４は、スロットル開度ＴＨが全閉になっているか、あるいはライン圧Ｐが現在低ライン圧であるかをそれぞれ判断する（ステップＳ２１２）。スロットル開度ＴＨが全閉になっているか、あるいは現在低ライン圧であると状態判断部１０４が判断した場合には、切替部１０２は、現在指定されているマップ化データからステップＳ２０５〜Ｓ２０８において特定されたマップ化データに切り替える（ステップＳ２１１）。そして、電子制御ユニット１０は、新たに特定されたマップ化データを記憶部１０１に格納（保存）して、このマップ切替処理を終了する。また、ステップＳ２１２において、スロットル開度ＴＨが全閉になっていないとともに、現在高ライン圧であると状態判断部１０４が判断した場合には、切替部１０２は、当該切り替えを禁止し、現在指定されているマップを維持して（ステップＳ２１３）、電子制御ユニット１０はこのマップ切替処理を終了する。
【００５４】
以上説明したように、本発明の第１実施形態における自動変速機のライン圧制御装置によれば、電子制御ユニット１０の切替部１０２が、ＡＴＦ温度センサ１８により検出された作動油の温度ＴＡＴＦに基づいて、記憶部１０１に格納されているライン圧Ｐのマップ化データ（油圧制御特性）における低ライン圧領域を拡大するように変更することとした。したがって、作動油の温度ＴＡＴＦが低温のときに低ライン圧領域を拡大させることにより、拡大された領域の走行状態においては変速ギア機構３全体のフリクショントルクを低減させることができるので、車両の燃料経済性（燃費）を向上させることができる。
【００５５】
また、上記第１実施形態では、領域変更部１０２は、低ライン圧領域を拡大させる方向にマップ化データが遷移しているか否かを判定する判定部１０３と、車両のスロットル開度ＴＨが全閉になっているか、あるいはライン圧Ｐが現在低ライン圧であるかをそれぞれ判断する状態判断部１０４とを備え、低ライン圧領域が拡大方向に遷移していると判定部１０３が判定した場合であって、スロットル開度ＴＨが全閉であるか、あるいはライン圧Ｐが現在低ライン圧であると状態判断部１０４が判断したときには、領域変更部１０２は、低ライン圧領域の拡大方向への変更を許可し、それ以外のときには当該変更を禁止することとした。したがって、車両の燃料経済性（燃費）を向上させつつ、ライン圧Ｐを高ライン圧から低ライン圧へ切り替えるときにエンジン１のトルク容量とクラッチ（摩擦係合要素）のトルク容量との差に起因して発生し得るクラッチのすべりを効果的に防止することができる。
【００５６】
さらに、このような構成において、低ライン圧領域を縮小させる方向に遷移していると判定部１０３が判定した場合には、状態判断部１０４による判断を行うことなく、領域変更部１０２が当該変更を許可することとしたので、クラッチのすべりの心配がないときには電子制御ユニット１０の処理負荷を軽減しつつマップ化データにおける低ライン圧領域を拡大するように変更することができる。
【００５７】
また、本発明の第２実施形態における自動変速機のライン圧制御装置によれば、電子制御ユニット１０の切替部１０２が、ＡＴＦ温度センサ１８により検出された作動油の温度ＴＡＴＦに基づいて、記憶部１０１に格納されている複数のマップ化データを適宜切り替えることとした。したがって、作動油の温度ＴＡＴＦが低温のときに低ライン圧領域を拡大させたマップ化データに切り替えることにより、変速ギア機構３全体のフリクショントルクを低減させることができるので、車両の燃料経済性（燃費）を向上させることができる。
【００５８】
また、上記第２実施形態では、切替部１０２は、低ライン圧領域を拡大させる方向にマップ化データが遷移しているか否かを判定する判定部１０３と、車両のスロットル開度ＴＨが全閉になっているか、あるいはライン圧Ｐが現在低ライン圧であるかをそれぞれ判断する状態判断部１０４とを備え、低ライン圧領域が拡大方向に遷移していると判定部１０３が判定した場合であって、スロットル開度ＴＨが全閉であるか、あるいはライン圧Ｐが現在低ライン圧であると状態判断部１０４が判断したときには、切替部１０２は、マップ化データの切り替えを許可し、それ以外のときには当該切り替えを禁止することとした。したがって、車両の燃料経済性（燃費）を向上させつつ、マップ化データの切替時にライン圧Ｐが高ライン圧から低ライン圧に切り替わることによるエンジン１のトルク容量とクラッチのトルク容量の差に起因して発生し得るクラッチ（摩擦係合要素）のすべりを効果的に防止することができる。
【００５９】
以上、本発明の自動変速機のライン圧制御装置の実施形態を添付図面に基づいて詳細に説明したが、本発明は、これらの構成に限定されるものではなく、特許請求の範囲、明細書および図面に記載された技術的思想の範囲内において種々の変形が可能である。なお、直接明細書および図面に記載のない形状・構造・機能を有するものであっても、本発明の作用・効果を奏する以上、本発明の技術的思想の範囲内である。すなわち、自動変速機のライン圧制御装置（電子制御ユニット１０や油圧制御装置６を含む）を構成する各部は、同様の機能を発揮し得る任意の構成のものと置換することができる。また、任意の構成物が付加されていてもよい。
【００６０】
例えば、本発明では、油圧制御装置６の油圧回路は、図３に示す油圧回路に限定されるものではなく、ライン圧Ｐを高ライン圧と低ライン圧の２段階で切り替えることが可能なものであれば、どのような構成（バルブの種類、組み合わせとを含む）であってもよい。
【００６１】
なお、上述の実施形態では、ライン圧Ｐを高ライン圧と低ライン圧の２段階に切替可能な自動変速機のライン圧制御装置に本発明を適用した場合を説明したが、本発明は、このようなライン圧Ｐを２段階に切替可能なライン圧制御装置に限定されない。例えば、６．０ｋｇ／ｃｍ２、７．５ｋｇ／ｃｍ２および９．５ｋｇ／ｃｍ２の３段階にライン圧Ｐを切り替えることができるライン圧制御装置に本発明を適用してもよい。この場合、２段階切替のライン圧制御装置と同様に、ＡＴＦ温度センサ１８により検出された作動油の温度ＴＡＴＦが低温側に遷移するとき、領域変更部（または切替部）１０２は、所定条件下（スロットル開度ＴＨが全閉あるいはライン圧Ｐが現在低ライン圧）で低ライン圧領域や中ライン圧領域を拡大させる方向にライン圧Ｐの油圧制御特性（マップ化データ）を変更し、あるいは切り替えればよい。
【００６２】
また、このような３段階に切替可能な場合には、判定部１０３は、中ライン圧領域を拡大させる方向に油圧制御特性が遷移しているか否かについて判定してもよい。この場合、領域変更部１０２は、この判定結果をも加味して、低ライン圧領域や中ライン圧領域の拡大方向への変更を許可するか否かを決定すればよい。
【図１】
2010001665.tif 000003
【図２】
2010001665.tif 000004
【図３】
2010001665.tif 000005
【図４】
2010001665.tif 000006
【図５】
2010001665.tif 000007
【図６】
2010001665.tif 000008
【図７】
2010001665.tif 000009
【図８】
2010001665.tif 000010
【図９】
2010001665.tif 000011
【図１０】
2010001665.tif 000012
【国際調査報告】
2010001665.tif 000013
2010001665.tif 000014